【事件の表示】
　平成　９年特許願第３３４６１４号「画像出力装置及び画像出力プログラムを記憶した記憶媒体」拒絶査定不服審判事件〔平成１１年　６月２２日出願公開、特開平１１−１６８６４２、請求項の数（４）〕について、次のとおり審決する。
【結　論】
　原査定を取り消す。
　本願の発明は、特許すべきものとする。
【理　由】
１　【手続きの経緯、本願発明】
　本願は、平成９年１２月４日の出願であって、その請求項１ないし４に係る発明は、平成１４年２月１日付け及び平成１５年５月２６日付け手続補正書により補正された明細書及び図面の記載からみて、その特許請求の範囲の請求項１ないし４に記載された次のとおりのものである。
「【請求項１】　１枚のフレーム画像を第１のフィールド情報と、第２のフィールド情報とに分割して出力する撮像部と、
　前記撮像部から出力される前記第１及び第２のフィールド情報が格納されるメモリから前記第１及び第２のフィールド情報を夫々独立して読み出した後に加算処理をして前記第１のフィールド情報又は前記第２のフィールド情報と同一ライン数の画像情報を形成するに際し、前記第１のフィールド情報における偶数ライン信号と前記第２のフィールド情報における前記偶数ライン信号に隣接する奇数ライン信号とをα：βの割合で加算して出力する第１の加算モードと、前記偶数ライン信号と前記奇数ライン信号とをβ：αの割合で加算して出力する第２の加算モードとをフィールド単位で切り換えて前記画像情報を形成する加算処理部とを備え、
　前記α及びβの値をユーザの設定に応じて適宜変更可能にしたことを特徴とする画像出力装置。
　【請求項２】　前記撮像部が出力する前記第１のフィールド情報と前記第２のフィールド情報との飽和状態を検出する飽和検出手段を備え、
　前記飽和検出手段における検出結果に応じて、前記偶数ライン信号と前記奇数ライン信号との加算比率を変更するようにしたことを特徴とする請求項１記載の画像出力装置。
　【請求項３】　前記加算処理部は、前記偶数ライン信号と前記奇数ライン信号とを加算処理せずに、前記偶数ライン情報と前記奇数ライン情報とをフィールド単位で切り換えて前記画像情報を形成する非加算モードを備えることを特徴とする請求項１記載の画像出力装置。
　【請求項４】　撮像部にて撮像した１枚のフレーム画像を第１のフィールド情報と、第２のフィールド情報とに分割して出力する撮像情報出力ステップと、
　前記撮像情報出力ステップにて出力される前記第１及び第２のフィールド情報が格納されるメモリから前記第１及び第２のフィールド情報を夫々独立して読み出した後に加算処理をして前記第１のフィールド情報又は前記第２のフィールド情報と同一ライン数の画像情報を形成するに際し、前記第１のフィールド情報における偶数ライン信号と前記第２のフィールド情報における前記偶数ライン信号に隣接する奇数ライン信号とをα：βの割合で加算して出力する第１の加算モードと、前記偶数ライン信号と前記奇数ライン信号とをβ：αの割合で加算して出力する第２の加算モードとをフィールド単位で切り換えて前記画像情報を形成する加算処理ステップとからなる画像出力プログラムを記憶した記憶媒体。」
　
２　【引用例】
（１）これに対して、原査定の拒絶理由で引用された特開昭６１−１７９６７９号公報（以下「引用例１」という)には、「電荷転送型固体撮像装置」（発明の名称）に関し、図面と共に次に掲げる事項アないしオが記載されている。
　　ア　「本発明は固体撮像装置、とくに２フィールド１フレームの飛越し走査方式にて映像信号を出力する電荷転送型固体撮像装置に関する。」（公報２頁左下欄３行〜５行）
　　イ　「図からわかるように垂直転送路１０８の下端は電荷分離部１１０に接続され、分離部１１０は２つの転送路すなわち岐路１１２および１１４を有する。両岐路１１２および１１４の下端は、やはりＣＣＤ構造の水平転送路（ＨＣＣＤ）１１６に接続されている。岐路１１４は、図示のようにその中間に分岐路１１８が設けられ、これに対峠して掃出しドレーン１２０が配設されている。
　分岐路１１８と掃出しドレーン１２０の間には掃出しゲート１２２がチップ１０２の上に配設され、これによつて分岐路１１８から掃出しドレーン１２２への電荷の掃出しないしは排出が制御される。また、岐路１１４の下端と水平転送路１１６の間には接続ゲート１２４がチップ１０２の上に配設され、これによって岐路１１４から水平転送路１１６への電荷の転送が制御される。」（公報３頁右下欄２０行〜４頁左上欄１５行）
　　ウ　「本実施例では、デバイス１００を設計する際、岐路１１４の幅Ｗ１と岐路１１６の幅Ｗ２を制御して垂直転送路から岐路１１４および１１６へそれぞれ分岐される電荷の比を調整している。つまり、Ｗ２／（Ｗ１＋Ｗ２）の値、すなわち電荷分離比の値をＷとすれば、垂直転送路１０８を転送されてきた電荷のＷ倍の量の電荷が岐路１１４に分岐される。」（公報４頁右上欄２０行〜同頁左下欄６行）
　　エ　「ところで第２図（Ｄ）に期間Ｔ１で示すように、電荷分離部１１０から水平転送路１１６に電荷が転送される際、転送制御回路２００の制御により、隣接する２水平行ずつ和をとられる。つまり、Ａフイ−ルドでは、前述のようにしてまず偶数行の電荷が水平転送路１１６に転送され、一時蓄積される。次に、これに続く奇数行の電荷が水平転送路１１６に転送され、一時蓄積される。これによつて、後者の電荷は前者の電荷に加算される。
　そこで、このように水平転送路１１６において２行の和をとられた電荷は、次の水平転送期間Ｔ２において出力２１４の方向に順次転送され、Ａフィールドにおけるその奇数行の映像信号として出力される。前述のように偶数行の電荷の量は奇数行のそれの（１−Ｗ）倍であるから、こうして出力される奇数行の映像信号は、その奇数行の映像信号に、その直上の偶数行の映像信号が（１−Ｗ）の重みで加算されて含まれていることになる。こうしてＡフィールドのすべての水平行の電荷について同様の重み付け加算操作が行なわれて奇数行の映像信号が形成され、出力２１２から順次出力される。
　これに続くＢフィールドでは、第３図に示すように、第４図のＢフィールドについて示す論理に従つてＡフィールドの場合と同様の操作が行なわれる。すなわち、奇数行の電荷は岐路１１２のもののみが水平転送路１１６に転送され、これに続く偶数行の電荷は岐路１１２および１１４の両方から水平転送路１１６に転送される。したがつて、奇数行の電荷のうち岐路１１４に転送されたものが掃出しドレーン１２０に転送されて排出されるので、奇数行の電荷の量は偶数行のそれの（１−Ｗ）倍となる。そこで、こうして出力されるＢフィールドの偶数行の映像信号は、その偶数行の映像信号に、その直上の奇数行の映像信号が（１−Ｗ）の重みで加算されて含まれていることになる。このようにしてＢフィールドのすべての水平行の電荷について同様の重み付け加算操作が行なわれて偶数行の映像信号が形成され、出力２１２から順次出力される。」（公報５頁左上欄９行〜同頁左下欄６行）
　　オ　「本発明によればこのように、飛越し走査された２つのフィールドのうち一方のフィールドでは奇数行の映像信号に偶数行の映像信号を重み付け加算して奇数行の映像信号を形成し、他方のフィールドでは偶数行の映像信号に奇数行の映像信号を重み付け加算して偶数行の映像信号としている。したがって、いずれのフィールドの映像信号も残りのフィールドの映像信号を所定の重みで含むので、解像度とフリッカ雑音の双方についてバランスのとれた映像が再生される。」（公報６頁左上欄８行〜１７行）
（２）同じく引用された特開平１−１１７４８２号公報（以下「引用例２」という）には、「撮像装置」（発明の名称）に関し、図面と共に次に掲げる事項が記載されている。
　「行及び列状に配置された複数の受光部分を有する撮像手段と、
　前記撮像手段の隣接する２行分ずつの電気信号を加算してフイールド期間かけて読み出すことにより１フイールド信号を形成する第１の読み出しモードと、前記撮像手段の各行の電気信号を１行おきに読み出すことにより１フイールド信号を形成する第２の読み出しモードと、を有する読み出し手段と、
を備えた撮像装置。」（特許請求の範囲）
（３）同じく引用された特開平３−６８２８５号公報（以下「引用例３」という）には、「撮像装置」（発明の名称）に関し、図面と共に次に掲げる事項が記載されている。
　「標準時には動解像度の高いフィールド蓄積方式に、拡大撮影時には垂直解像度の高いフレーム蓄積方式に自動的に切換えることにより拡大撮影時にも標準撮影時にも好ましい画質で撮影を行なうことができる。」（公報８右上欄８行〜１２行）
　
３　【当審の判断】
（１）請求項１について
　　ア　引用例１には、２フィールド１フレームの飛越し走査方式にて映像信号を出力する電荷転送型固体撮像装置に関し（引用例１の上記アの記載参照）、その実施例として、垂直転送路１０８の下端は電荷分離部１１０に接続され、分離部１１０は、２つの岐路１１２、１１４を有し、両岐路１１２、１１４の下端は、水平転送路１１６接続され、岐路１１４はその中間に分岐路１１８が設けられ、これに対峠して掃出しドレーン１２０が配設され、分岐路ｌ１８と掃出しドレーン１２０の間には掃出しゲート１２２が配設され、これによつて分岐路１１８から掃出しドレーンへの電荷の掃出が制御され、また、岐路１１４の下端と水平転送路１１６の間には接続ゲート１２４が配設され、これによつて岐路１１４から水平転送路１１６への電荷の転送が制御されること（引用例１の上記イの記載参照）、また、デバイス１００を設計する際、岐路の幅Ｗ１、Ｗ２を制御して垂直転送路から岐路へそれぞれ分岐される電荷の比を調整しており、つまり、Ｗ２／（Ｗ１＋Ｗ２）の値、すなわち電荷分離比の値をＷとすれば、垂直転送路１０８を転送されてきた電荷のＷ倍の量の電荷が岐路１１４に分岐されること（引用例１の上記ウの記載参照）、さらに、Ａフィールドでは、その奇数行の映像信号に、その直上の偶数行の映像信号が（１−Ｗ）の重みで加算され、Ｂフィールドでは、その偶数行の映像信号に、その直上の奇数行の映像信号が（１−Ｗ）の重みで加算されること（引用例１の上記エの記載参照）が、それぞれ記載されている。そして、それによって、２つのフィールドのうち一方のフィールドでは奇数行の映像信号に偶数行の映像信号を重み付け加算して奇数行の映像信号を形成し、他方のフィールドでは偶数行の映像信号に奇数行の映像信号を重み付け加算して偶数行の映像信号とすることも記載されており（引用例１の上記オの記載参照）、その点では、本願の請求項１に係る発明と類似している。
　しかしながら、引用例１に記載の発明は、垂直転送路１０８の最終段に電荷分離部１１０を設け、電荷分離部１１０における岐路１１２、１１４の幅であるＷ１、Ｗ２を予め設定しておくことで、偶数ラインの電荷と奇数ラインの電荷とをＷ１とＷ２との比率に応じて加算処理できるようにした撮像部自体の発明であり、撮像部から出力されるフィールド情報が格納されるメモリから２つのフィールド情報を夫々独立して読み出した後に加算処理をして同一ライン数の画像情報を形成することを全く予定しておらず、また、その偶数ラインの電荷と奇数ラインの電荷との加算比率も固体撮像装置の設計時に岐路の幅を調整することによって一義的に決まってしまうものであり、ユーザの好みに応じて最適な画像信号が得られるように、その加算比率を可変可能とすることについても何ら記載がなく、示唆もない。すなわち、本願の請求項１に係る発明の主要な事項である、「前記撮像部から出力される前記第１及び第２のフィールド情報が格納されるメモリから前記第１及び第２のフィールド情報を夫々独立して読み出した後に加算処理をして前記第１のフィールド情報又は前記第２のフィールド情報と同一ライン数の画像情報を形成するに際し」を前提とした、「前記α及びβの値をユーザの設定に応じて適宜変更可能にした」点の構成（以下「構成Ａ」という。）については何も記載がなく、示唆もない。
　　イ　引用例２には、撮像手段の隣接する２行分ずつの電気信号を加算して１フィールド信号を形成するモードと、１行おきに読み出すことにより１フィールド信号を形成するモードとを備える撮像装置が記載されており（引用例２の上記記載参照）、また、引用例３には、標準時には動解像度の高いフィールド蓄積方式に、拡大撮影時には垂直解像度の高いフレーム蓄積方式に自動的に切換える撮像装置が記載されている（引用例３の上記記載参照）ものの、それらのいずれにも本願の請求項１に係る発明の主要な事項である上記「構成Ａ」については何も記載がなく示唆もない。
　　ウ　以上のように、上記各引用例のいずれにも本願の請求項１に係る発明の主要な事項である上記「構成Ａ」について記載がなく示唆もないのであるから、上記各引用例を組み合わせても、本願の請求項１に係る発明が容易になし得るとはいえない。
　　エ　そして、本願の請求項１に係る発明は、上記「構成Ａ」を採用することにより、「１枚のフレーム画像を第１のフィールド情報及び第２のフィールド情報とに分割して出力する撮像部と、前記撮像部から出力される前記第１及び前記第２のフィールド情報が格納されるメモリから第１及び第２のフィールド情報を夫々独立して読み出した後に加算処理する加算処理部とを備え、非常に簡易な構成にてこの加算処理を実現させることで、画像情報の周波数特性及びＳ／Ｎ比を改善して、表示画像の画質の向上を図ることができる。」（明細書の段落【００９９】の記載）等の明細書記載の顕著な効果を奏するものと認められる。
　よって、本願の請求項１に係る発明は、上記各引用例に記載の発明から容易になし得たものとすることはできない。
（２）請求項２及び３について
　本願の請求項２及び３に係る発明は、請求項１を引用し、さらに限定事項を付加するものであるから、上記（１）で検討したことと同様の理由により、上記各引用例に記載の発明から容易になし得たものとすることはできない。
（３）請求項４について
　本願の請求項４に係る発明は、請求項１に記載の発明を「画像出力プログラムを記憶した記憶媒体」として表現したものであり、上記（１）で検討したことと同様の理由により、上記各引用例に記載の発明から容易になし得たものとすることはできない。
（４）前置報告についての検討
ａ．前置報告書で提示された特開平４−８８７６４号公報（以下「引用例４」という）には、「フイルタ回路」（発明の名称）に関し、図面と共に次に掲げる事項アないしエが記載されている。
　　ア　「インターレース方式の映像信号をフイルリング処理するフイルタ回路において、
　上記映像信号を１フイールド遅延させて１フイールド遅延信号を出力する１フイールド遅延回路と、
　上記映像信号を１ライン遅延させて１ライン遅延信号を出力する１ライン遅延回路と、
　上記映像信号、上記１フイールド遅延信号及び上記１ライン遅延信号を加減算処理する加減算回路と
　を具えることを特徴とするフイルタ回路。」（特許請求の範囲）
　　イ　「本発明は、フイルタ回路において、インターレース方式の映像信号を１フイールド遅延させて加減算処理することにより、画質の劣化を有効に回避して所望の特性で映像信号をフイルタリング処理することができる。」（公報１頁右下欄４行〜８行）
　　ウ　「第１図において、１は全体として垂直フイルタ回路を示し、１ライン遅延回路２及び４の直列接続回路と、１フイールド遅延回路６及び１ライン遅延回路８の直列接続回路とに映像信号ＳＶ１を与える。
　ここで１フイールド遅延回路６は、映像信号ＳＶ１を１フイールド遅延させて出力し、この実施例においては、当該１フイールド遅延回路６の伝達関数をＺ−Ｆで表す。
　加算回路１０は、映像信号ＳＶ１に１ライン遅延回路４の出力信号を加算して選択回路１２に出力する。
　加算回路１４は、当該選択回路１２の選択出力信号に１ライン遅延回路２の出力信号を加算し、これにより次式、
　Ｈ１（Ｚ）＝（１＋Ｚ−Ｈ＋Ｚ−２Ｈ）……（２）
の関係式で表される加算信号ＳＡ１を選択回路１６に出力する。
　これに対して加算回路１８は、１フイールド遅延回路６及び１ライン遅延回路８の出力信号を加算して加算回路２０に出力する。
　加算回路２０は、加算回路１０及び１８の出力信号を加算して、選択回路１２に出力する。
　これにより加算回路２０の出力信号が選択回路１２から選択出力されるとき、加算回路１４を介して、次式
　Ｈ２（Ｚ）＝（１＋Ｚ−Ｆ＋Ｚ−Ｈ＋Ｚ−Ｆ−Ｈ＋Ｚ−２Ｈ）……（３）
の関係式で表される加算信号ＳＡ２を得ることができる。
　選択回路１６は、選択回路１２と連動して接点を切り換え、加算回路１４の出力信号を１／３割算回路２２又は１／５割算回路２４に選択出力する。
　１／３割算回路２２及び１／５割算回路２４は、それぞれ入力信号を１／３及び１／５に割り算して出力する。
  選択回路２６は、選択回路１６と同様に選択回路１２と連動して接点を切り換え、１／３割算回路２２又は１／５割算回路２４の出力信号を選択出力する。」（公報２頁右下欄３行〜３頁右上欄６行）
　　エ　「さらに上述の実施例においては、フレーム単位で連続する５ラインの映像信号を平均値化するローパスフイルタ回路を形成する場合について述べたが、本発明はローパスフイルタ回路に限らず、当該映像信号を加減算処理して所望のフイルタ特性を得る場合に広く適用することができる。」（公報４頁右下欄５行〜１０行）
ｂ．これについて検討すると、引用例４には、フィルタ回路において、インターレース方式の映像信号を１フイールド遅延及び１ライン遅延させて加減算処理することにより、画質の劣化を有効に回避して所望の特性で映像信号をフィルタリング処理することは記載されている（引用例４の上記ア〜エの記載参照）ものの、偶数ライン信号と奇数ライン信号との加算比率をフィールド単位で切り換えることについて何も記載がないばかりなく、本願の請求項１に係る発明の主要な事項である上記「構成Ａ」についても何ら記載がなく示唆もない。
　
４　【むすび】
　以上のとおりであるから、本願の請求項１ないし４に係る発明が上記各引用例に記載された発明に基づいて当業者が容易に発明をすることができたということはできず、原査定の理由によっては本願を拒絶することはできない。
　また、他に本願を拒絶すべき理由を発見しない。
　よって、結論のとおり審決する。